(57)【要約】【課題】保護部材の取付けが容易で安全性に優れた非固定式の眼鏡を提供する。【解決手段】一対のレンズ側部材（１１０、１１２）のそれぞれに固設されたヨロイ側の第一の部材１２０およびブリッジ側の第一の部材１３０と、ヨロイ１４０またはブリッジ１５０に連設され、ヨロイ側の第一の部材１２０およびブリッジ側の第一の部材１３０に着脱可能に弾性的にそれぞれ係合されるヨロイ側の第二の部材１４０およびブリッジ側の第二の部材１５０とを備える非固定式の眼鏡であって、レンズ側部材を含むレンズ外周部を覆う環状部２１０と、環状部に形成され、ブリッジ側の第一の部材１３０が貫通可能な貫通穴２１４と、環状部に連設され、ヨロイ側の第一の部材１２０およびヨロイ側の第二の部材１４０を包囲する包囲部２２０とを備える保護部材２００を着脱可能に備える。【選択図】図１０
2008076874.tif 000002
【特許請求の範囲】
【請求項１】
一対のレンズ側部材のそれぞれに固設されたヨロイ側の第一の部材およびブリッジ側の第一の部材と、
ヨロイまたはブリッジに連設され、前記ヨロイ側の第一の部材およびブリッジ側の第一の部材に着脱可能に弾性的にそれぞれ係合されるヨロイ側の第二の部材およびブリッジ側の第二の部材と、を備える非固定式の眼鏡であって、
前記レンズ側部材を含むレンズ外周部を覆う環状部と、
該環状部に形成され、前記ブリッジ側の第一の部材が貫通可能な貫通穴と、
該環状部に連設され、前記ヨロイ側の第一の部材およびヨロイ側の第二の部材を収容し包囲する包囲部とを備える保護部材を着脱可能に備えることを特徴とする保護部材付き非固定式眼鏡。
【請求項２】
前記眼鏡はリムレス眼鏡であり、前記レンズ側部材がレンズ自体であることを特徴とする請求項１に記載の保護部材付きの非固定式眼鏡。
【請求項３】
前記眼鏡はリム付き眼鏡であり、前記レンズ側部材がリムであることを特徴とする請求項１に記載の保護部材付き非固定式眼鏡。
【請求項４】
前記保護部材は、延伸性を有する弾性体で形成されていることを特徴とする請求項１ないし３のいずれかに記載の保護部材付き非固定式眼鏡。
【請求項５】
前記保護部材の環状部は、拡径方向に向かうにつれ拡幅する内周溝を有することを特徴とする請求項１ないし４のいずれかに記載の保護部材付き非固定式眼鏡。
【請求項６】
前記保護部材の包囲部は、その内側に、前記内周溝から包囲部の自由端に亘り形成されたスリットを有することを特徴とする請求項５に記載の保護部材付き非固定式眼鏡。
【発明の詳細な説明】
【技術分野】
【０００１】
本発明は、非固定式の眼鏡、いわゆる、眼鏡部品同士の着脱が容易で交換が簡単にできる非固定式の眼鏡、特に保護部材付きの非固定式眼鏡に関する。
【背景技術】
【０００２】
一般に、眼鏡としては、テンプル、ヨロイ、ブリッジ、リム等の多数の眼鏡部品が適所で溶接やねじ止め等により連結されることにより作製される、いわゆる、固定式の眼鏡が多く用いられている。
【０００３】
ところで、近年における眼鏡のファッション的利用形態の高まりから、予め多数揃えて用意された各種サイズやデザインの眼鏡部品の中から使用者がＴＰＯに応じて適当な眼鏡部品を選択し、これらを組立てることで使い分けることを可能にすべく、眼鏡部品同士の着脱が容易で交換が簡単にできる眼鏡部品の連結構造を備えた非固定式の眼鏡が、種々提案されている。
【０００４】
例えば、特許文献１に提案された非固定式の眼鏡では、リムレス眼鏡のレンズに固設され、長円状の外周に形成された取付溝を有する第一の部材に対し、テンプルまたはブリッジに連結され、第一の脚部と第二の脚部とを含み略Ｕ字状の屈曲部を有する第二の部材を一方向から導入して、第一の部材の取付溝を弾性的に挟んで係合させることにより、眼鏡部品を相互に連結するようにしている。
【０００５】
また、例えば、特許文献２に提案された非固定式の眼鏡では、リムに固設され、一面に設けられた挿通孔と該一面にほぼ直交する面に形成された係止溝とを有る第一の部材に対し、ヨロイまたはブリッジに連設され、第一の脚部と第二の脚部とを含む略U字状の屈曲部および係止部を有する第二の部材を、その第一の脚部を第一の部材の挿通孔に導入した後、第一の部材および第二の部材を相対回転させて、第二の脚部を係止溝に弾性的に係合させると共に、係止部を第一の部材に係止させることにより、眼鏡部品を相互に連結するようにしている。
【０００６】
【特許文献１】特開２００４−５３６８９号公報
【特許文献２】特開２００４−９３７０４号公報
【発明の開示】
【発明が解決しようとする課題】
【０００７】
かかる特許文献１および特許文献２に提案されている非固定式の眼鏡においては、テンプルの拡開時などの所定値以上の外力が作用したときには、第一の部材と第二の部材との連結状態が解除され、眼鏡部品同士が分離するので、眼鏡部品の変形や最悪の場合のレンズの割れが防止される。
【０００８】
ところで、眼鏡を常時使用している装着者は、日常的使用以外の何らかの運動中であっても眼鏡を装着する必要があり、このような非固定式の眼鏡といえども使用し続けねばならない。ところが、特にこのような運動中においては、自らの転倒や相手との接触または衝突などに起因して、レンズや金属で形成されている眼鏡部品が直接に自らの顔面や相手に当たることにより、怪我を生じさせる可能性が高い。
【０００９】
従って、通常の使用時には、所定値以上の外力作用時における眼鏡部品同士の分離により、眼鏡部品の変形やレンズの割れを防止すると共に、このような運動中における怪我を未然に防止することを可能にする非固定式の眼鏡の出現が待たれている。しかしながら、このような運動は常時行なうわけではなく、その必要時にのみ安全性が確保されればよいものであるから、通常時にはファッション性に優れた非固定式眼鏡として使用でき、運動時にのみ確実に安全性が確保される眼鏡が得られることが望ましい。
【００１０】
そこで、本発明は、かかる要請に応え、取付けが容易で安全性に優れた非固定式の眼鏡を提供することを課題とする。
【課題を解決するための手段】
【００１１】
上記目的を達成する本発明の一形態にかかる非固定式の眼鏡は、一対のレンズ側部材のそれぞれに固設されたヨロイ側の第一の部材およびブリッジ側の第一の部材と、ヨロイまたはブリッジに連設され、前記ヨロイ側の第一の部材およびブリッジ側の第一の部材に着脱可能に弾性的にそれぞれ係合されるヨロイ側の第二の部材およびブリッジ側の第二の部材と、を備える非固定式の眼鏡であって、前記レンズ側部材を含むレンズ外周部を覆う環状部と、該環状部に形成され、前記ブリッジ側の第一の部材が貫通可能な貫通穴と、該環状部に連設され、前記ヨロイ側の第一の部材およびヨロイ側の第二の部材を包囲する包囲部とを備える保護部材を着脱可能に備えることを特徴とする。
【００１２】
ここで、前記眼鏡はリムレス眼鏡であり、前記レンズ側部材がレンズ自体であってもよい。
【００１３】
また、前記眼鏡はリム付き眼鏡であり、前記レンズ側部材がリムであってもよい。
【００１４】
なお、前記保護部材は、延伸性を有する弾性体で形成されていることが好ましい。
【００１５】
さらに、前記保護部材の環状部は、拡径方向に向かうにつれ拡幅する内周溝を有することが好ましい。
【００１６】
また、前記保護部材の包囲部は、その内側に、前記内周溝から包囲部の自由端に亘り形成されたスリットを有することが好ましい。
【発明の効果】
【００１７】
上記本発明の一形態によれば、ヨロイ側の第一の部材およびブリッジ側の第一の部材がそれぞれ固設された一対のレンズ側部材のヨロイ側の第一の部材に、ヨロイ側の第二の部材が弾性的にそれぞれ係合される。そして、保護部材の環状部の貫通穴にブリッジ側の第一の部材が貫通されつつ、レンズ側部材を含むレンズ外周部が環状部により覆われ、さらに、ヨロイ側の第一の部材およびヨロイ側の第二の部材が環状部に連設された包囲部により包囲される。その後、ブリッジ側の第一の部材にブリッジ側の第二の部材が弾性的にそれぞれ係合される。かくて、保護部材が確実に固定され、、しかも簡単には外れることのない安全性に優れた非固定式の眼鏡が得られる。従って、レンズ側部材を含むレンズ外周部およびヨロイ側の第一の部材およびヨロイ側の第二の部材が保護部材で完全に覆われているので、自らの転倒や、例えば、運動中におけるような相手との接触または衝突などが発生しても、かかる眼鏡部品が直接に自らの顔面や相手に当たることがなく、怪我を生じさせるのが防止される。なお、保護部材を取外すときは上述と逆の手順により容易に取外され得る。
【００１８】
ここで、前記眼鏡がリムレス眼鏡であり、前記レンズ側部材がレンズ自体である形態では、レンズ自体の外周部が環状部により覆われる。
【００１９】
また、前記眼鏡がリム付き眼鏡であり、前記レンズ側部材がリムである形態では、レンズ外周部がリムを介して環状部により覆われる。
【００２０】
なお、前記保護部材が、延伸性を有する弾性体で形成されている形態によれば、レンズ側部材を含むレンズ外周部を環状部により覆う際にその装着が容易となる。
【００２１】
さらに、前記保護部材の環状部が、拡径方向に向かうにつれ拡幅する内周溝を有する形態によれば、度数の違いなどに起因してレンズの外周部の厚みが異なるような場合にも、内周溝の開口部とレンズ面との間に隙間が生ずるのを防止することができる。
【００２２】
また、前記保護部材の包囲部が、その内側に、前記内周溝から包囲部の自由端に亘り形成されたスリットを有する形態によれば、ヨロイ側の第一の部材およびヨロイ側の第二の部材を環状部に連設された包囲部により包囲する際に、かかるスリット通してヨロイ側の第一の部材およびヨロイ側の第二の部材が収容されるので、包囲部の装着が容易となる。
【発明を実施するための最良の形態】
【００２３】
以下、本発明の実施の形態を、添付図面を参照しつつ説明する。なお、本明細書の記述において、「前後」、「左右」および「上下」等の方向を表す表現は、眼鏡が通常の状態で人に装着されているときの方向を表している。
【００２４】
まず、本発明の前提となる非固定式の眼鏡の一例としてのリムレス眼鏡を図１ないし図５を参照して説明する。なお、本明細書に云う「レンズ側部材」とは、このリムレス眼鏡ではレンズ自体であり、後述のリム付き眼鏡の場合にはリムを意味する。
【００２５】
本発明の一実施の形態に係るリムレス眼鏡１００は、左右のレンズ１１０と、レンズ１１０に固設された、第一の部材としてのヨロイ側樹脂パーツ１２０およびブリッジ側樹脂パーツ１３０と、テンプル１７０にヒンジ１６０を介して連結された第二の部材としてのヨロイ１４０および同じく第二の部材としてのブリッジ１５０とを備えている。
【００２６】
第一の部材としてのヨロイ側樹脂パーツ１２０は、図２（Ａ）ないし（Ｃ）に詳細に示すように、レンズ１１０の外側面にほぼ平行な面内に延在し、一部がレンズ１１０の側面に当接して位置されるほぼ長円形状の基部１２２と、該基部１２２から延出し、レンズ１１０の後面に位置される腕部１２４と、該腕部１２４から前方に、基部１２２とほぼ平行に突出する脚部１２６とを有し、基部１２２の外周部には取付溝１２８が形成されている。
【００２７】
該取付溝１２８が形成された長円形状の基部１２２は、二つの円弧部１２２ｆおよび１２２ｒを含んでおり、本実施の形態では、該二つの円弧部がレンズ１１０の光軸にほぼ平行する前後方向に配置されている。
【００２８】
そして、取付溝１２８は、長円形状の基部１２２の少なくとも前側の円弧部１２２ｆを含む部分に形成されていればよいが、後述する第二の部材の取付を確実にするために、前側および後側の二つの円弧部１２２ｆおよび１２２ｒを含む長円状外周部の全周に亘り形成されている。その結果、取付溝１２８のその底部は、側方から見たとき、図２（Ｃ）に示すように、前側の円弧部１２８ｆおよび後側の円弧部１２８ｒとこれらの間の平行部１２８ｐとを有する形状となる。
【００２９】
同じく、第一の部材としてのブリッジ側樹脂パーツ１３０は、図３（Ａ）ないし（Ｃ）に詳細に示すように、レンズ１１０の内側面にほぼ平行な面内に延在し、一部がレンズ１１０の側面に当接して位置されるほぼ長円形状の基部１３２と、該基部１３２から延出しレンズ１１０の後面に位置される腕部１３４と、該腕部１３４から前方に、基部１３２とほぼ平行に突出する脚部１３６とを有し、基部１３２の外周部には取付溝１３８が形成されている。該取付溝１３８が形成された長円形状の基部１３２は、二つの円弧部１３２ｔおよび１３２ｂを含んでおり、本実施の形態では、該二つの円弧部がレンズ１１０の光軸にほぼ直交する上下方向に配置されている。
【００３０】
そして、取付溝１３８は、該長円形状の基部１３２の少なくとも上側の円弧部１３２ｔを含む部分に形成されていればよいが、後述する第二の部材としてのブリッジ１５０との取付を確実にするために、二つの円弧部１３２ｔおよび１３２ｂを含む長円状外周部の全周に亘り形成されている。その結果、取付溝１３８のその底部は、側方から見たとき、図３（Ｃ）に示すように、上側の円弧部１３８ｔおよび下側の円弧部１３８ｂとこれらの間の平行部１３８ｐとを有する形状となる。
【００３１】
なお、本実施の形態では、レンズ１１０には、図１（Ａ）および（Ｂ）から明らかなように、その内外側縁部近傍にレンズ孔１１１がそれぞれ穿設されている。
【００３２】
ヨロイ側の第二の部材としてのヨロイ１４０は、図４（Ａ）ないし（Ｃ）に詳細に示すように、本実施の形態では一本の金属線材（例えば、ニッケル・クロム合金、ニッケル・チタン合金等の弾性材）から形成され、その一端部には後述するヒンジ１６０が設けられている。そして、該ヒンジ１６０を介してテンプル１７０が連結されている。なお、このヒンジ１６０を設けることなく、テンプル１７０を一体的に形成してもよい。
【００３３】
ここで、ヨロイ１４０には、ヒンジ１６０と逆側の端部に、ヨロイ側樹脂パーツ１２０に一方向から導入され、その取付溝１２８に弾性的に係合する略U字状の屈曲部１４２が形成されている。略U字状の屈曲部１４２は、詳しくは、ヒンジ１６０に連なる第１脚部１４３と第２脚部１４４とに連続し、第１脚部１４３と第２脚部１４４とが取付溝１２８の平行部１２８ｐを挟む形態で弾性的に係合する。さらに、第１脚部１４３の途中には、図４（Ｃ）に示すように、取付溝１２８の後側の円弧部１２８ｒに沿って係合すべく、第２脚部１４４側に向かって僅かに凸状に湾曲された湾曲部１４５が設けられている。
【００３４】
次に、ブリッジ１５０は、同じく、金属線材（例えば、チタン合金、ニッケル・クロム合金、ニッケル・チタン合金等の弾性材）から、図５に詳細に示すように、第１のU字状湾曲部１５２とこれに連なる第２のU字状湾曲部１５５および第３のU字状湾曲部１５８とを備えて形成され、本実施の形態では、該第１のU字状湾曲部１５２の第１脚部１５２Ａ同士が左右方向に延在する連結部１５１で連結されている。なお、第１のU字状湾曲部１５２の第２脚部１５２Ｂは第２のU字状湾曲部１５５の第１脚部１５５Ａと直線的に連続し、第１のU字状湾曲部１５２の第１脚部１５２Ａと第２脚部１５２Ｂとの両脚部がブリッジ側樹脂パーツ１３０の取付溝１３８に係合する。そして、第２のU字状湾曲部１５５の第２脚部１５５Ｂに続いて、鼻当てパッド１８０を取付けるための第３のU字状湾曲部１５８が形成されている。この第３のU字状湾曲部１５８は第２のU字状湾曲部１５５の第２脚部１５５Ｂと直線的に連続して形成された第１脚部１５８Ａと、これに平行な第２脚部１５８Ｂを有している。さらに、第２脚部１５８Ｂの自由端側には、第１脚部１５８Ａに近接するように屈曲された屈曲部１５８Ｃが形成されている。
【００３５】
ここで、第１のU字状湾曲部１５２は眼鏡の下方向に凸で、その第１脚部１５２Ａと第２脚部１５２Ｂとは互いに平行であり、一方、第１のU字状湾曲部１５２の第２脚部１５２Ｂと直線的に連続する第１脚部１５５Ａを有する第２のU字状湾曲部１５５は眼鏡の上方向に凸で、その第１脚部１５５Ａと第２脚部１５５Ｂとも互いにほぼ平行である。但し、第１のU字状湾曲部１５２の第１脚部１５２Ａとその第２脚部１５２Ｂ（および第２のU字状湾曲部１５５の第１脚部１５５Ａ）とは、図１（Ａ）から明らかなように、眼鏡の前方から見てほぼ重なるよう形成されている。
【００３６】
なお、鼻当てパッド１８０は、本実施の形態では、軟質樹脂材料で左右が連続されて形成されて安全性がより高められている。そして、この鼻当てパッド１８０には、その裏面側に硬質樹脂材料で形成された取付部材１９０が設けられている。この取付部材１９０は鼻当てパッド１８０に埋設された直方体形状の基部１９２と、該基部１９２から延出し、鼻当てパッド１８０の裏面に突出する直方体形状の突出部１９４とを有し、突出部１９４の根本の外周部には取付溝１９６が形成されている。そして、この取付溝１９６の底部は、前述のブリッジ側樹脂パーツ１３０と同様に、上側および下側の二つの円弧部とこれらの間の平行部とを有する、側方から見たとき長円形状をなしている。
【００３７】
そして、本実施の形態にかかる鼻当てパッド１８０の取付けは、ブリッジ１５０の第３のU字状湾曲部１５８を下向きにして、その第１脚部１５８Ａとその第２脚部１５８Ｂとを鼻当てパッド１８０の取付溝１９６に下方向から導入することにより行われる。導入完了時には、第３のU字状湾曲部１５８が取付溝１９６の下側の円弧部に係合し、その第１脚部１５８Ａとその第２脚部１５８Ｂとが取付溝１９６の平行部を弾性的に挟持し、さらに、第２脚部１５８Ｂの自由端近傍の屈曲部１５８Ｃが取付溝１９６の上側の円弧部に回り込んで係合する。この結果、鼻当てパッド１８０はガタツキ等が防止されて、ブリッジ１５０に確実に連結される。
【００３８】
さらに、ヒンジ１６０とテンプル１７０につき、図６を主に参照して説明する。本一実施の形態においては、ヒンジ１６０が略鼓状のソケット部材１６２とテンプル１７０の端部に形成されたＪ字状曲折部１７２との組合せにより構成されている。より詳しくは、ソケット部材１６２には中心に貫通孔１６４が形成されると共に、その側面に、部分環状の凹部１６６およびヨロイ１４０の第１脚部１４３を取付けるための切欠き１６８が形成されている。そして、このソケット部材１６２は、本実施の形態においては、上述したヨロイ１４０の第１脚部１４３が切欠き１６８の直線状部に接合される形態で、ヨロイ１４０と一体に形成されている。
【００３９】
金属線材（例えば、チタン合金、ニッケル・クロム合金、ニッケル・チタン合金等の弾性材）からなるテンプル１７０の端部に形成されたＪ字状曲折部１７２は、図６（Ｄ）に示すように、ソケット部材１６２の貫通孔１６４に挿通される第１脚部１７４とこれにＵ字状湾曲部１７５を介して連続する平行な第２脚部１７６とを備え、さらに、本実施の形態においては、第２脚部１７６の端部から直角に折り曲げられた第３脚部１７８を有している。そして、テンプル１７０の第１脚部１７４が貫通孔１６４に挿通されたとき、第３脚部１７８が凹部１６６に係合し、第１脚部１７４と第３脚部１７８とでソケット部材１６２を弾性的に挟持するようにされている。
【００４０】
次に、上述した非固定式のリムレス眼鏡１００に対して着脱式に使用される保護部材２００につき、図７ないし図１０を参照して説明する。
【００４１】
本実施の形態による保護部材２００は、図７に示すように、基本的に環状部２１０と該環状部２１０から突出する包囲部２２０とを備えて、延伸性を有する弾性体、例えば、ゴムあるいは樹脂から形成されている。そして、環状部２１０は、図９に示すように、拡径方向に向かうにつれ拡幅する内周溝２１２を有している。この内周溝２１２内には、レンズ１１０の外周部が収容され覆われる。この内周溝２１２を形成する前後方向の側壁２１０ｆおよび２１０ｒは、図９から明らかなように、縮径方向に向かうにつれて溝幅が狭くなるようにされている。これは、度数の違いなどに起因してレンズ１１０の外周部の厚みが異なるような場合にも、内周溝２１２の側壁２１０ｆおよび２１０ｒによる開口部とレンズ１１０面との間に隙間が生ずるのを防止するためである。
【００４２】
また、環状部２１０には、該内周溝２１２にも連通し、前述のブリッジ側の第一の部材１３０が貫通可能な貫通穴２１４が形成されている。なお、この貫通穴２１４は、ブリッジ側の第一の部材１３０の通り易さと、保護部材２００の位置ズレの補正を容易とするために、やや大きめの穴とされるのが好ましい。
【００４３】
さらに、環状部２１０から突出して連設された包囲部２２０は、本実施の形態においては、ヨロイ側の第一の部材１２０に連結された状態のヨロイ側の第二の部材１４０を収容するヨロイ収容空間を包囲するヨロイ包囲部２２２と、ヒンジ１６０を収容するヒンジ収容空間を包囲するヒンジ包囲部２２４とを備えている。そして、包囲部２２０は、その内側に、内周溝２１２から包囲部２２０の自由端に亘り形成されたスリット２２６を有している。なお、該スリット２２６は、ヨロイ包囲部２２２に包囲されたヨロイ収容空間およびヒンジ包囲部２２４に包囲されたヒンジ収容空間に対応する部位において、その幅が大きく形成され、保護部材２００を装着するときの作業が容易となるようにされている。
【００４４】
上記本発明の一実施の形態にあっては、次の手順によりリムレス眼鏡１００が組立られ完成されるか、または保護部材２００が装着されたリムレス眼鏡１００が完成されることになる。
【００４５】
まず、いずれの場合にも、レンズ１１０の内外側縁部近傍のレンズ孔１１１にヨロイ側樹脂パーツ１２０の脚部１２６およびブリッジ側樹脂パーツ１３０の脚部１３６を後方から挿入することにより、ヨロイ側樹脂パーツ１２０およびブリッジ側樹脂パーツ１３０を、それぞれ、レンズ１１０に固着する。
【００４６】
次に、ヨロイ側樹脂パーツ１２０に対し、ヨロイ１４０を取付ける。この取付けは、ヨロイ１４０のU字状湾曲部１４２を前向きにして、その第１脚部１４３とその第２脚部１４４とをヨロイ側樹脂パーツ１２０の取付溝１２８に前方向から導入することにより行われる。導入完了時には、第１のU字状湾曲部１４２が取付溝１２８の前側の円弧部１２８ｆに係合し、その第１脚部１４３とその第２脚部１４４とが取付溝１２８の平行部１２８ｐを弾性的に挟持し、さらに、第１脚部１４３の湾曲部１４５が取付溝１２８の後側の円弧部１２８ｒに回り込んで係合する。この結果、ヨロイ１４０はヨロイ側樹脂パーツ１２０にガタツキ等が防止されて、確実に連結される。
【００４７】
そして、ヒンジ１６０を形成すべく、ヨロイ１４０に一体に接合されている略鼓状のソケット部材１６２にテンプル１７０を連結する。詳しくは、ソケット部材１６２の貫通孔１６４にテンプル１７０の端部に形成されたＪ字状曲折部１７２の第１脚部１７４を挿通して第２脚部１７６を側面に沿わせると共に、第３脚部１７８を凹部１６6に係合させ、第１脚部１７４と第３脚部１７８とでソケット部材１６２を弾性的に挟持させる。なお、このヒンジ１６０の形成は、ヨロイ１４０をヨロイ側樹脂パーツ１２０に対して取付ける前に行なってもよい。
【００４８】
そして、保護部材２００が装着されない通常のリムレス眼鏡１００を得る場合には、上述の状態におけるブリッジ側樹脂パーツ１３０に対し、ブリッジ１５０を取付けることにより、左右のレンズ１１０を連結する。この取付けは、ブリッジ１５０の第１のU字状湾曲部１５２を下向きにして、その第１脚部１５２Ａとその第２脚部１５２Ｂ（および第２のU字状湾曲部１５５の第１脚部１５５Ａ）とをブリッジ側樹脂パーツ１３０の取付溝１３８に下方向から導入することにより行われる。導入完了時には、第１のU字状湾曲部１５２が取付溝１３８の下側の円弧部１３８ｂに係合し、その第１脚部１５２Ａとその第２脚部１５２Ｂとが取付溝１３８の平行部１３８ｐを挟持し、左右のレンズ１１０を確実に連結することになる。かくて、リムレス眼鏡１００は、ねじ等を一切用いることなく、各部品が連結されることにより完成される。
【００４９】
一方、保護部材２００が装着されたリムレス眼鏡１００を得る場合には、上述のブリッジ側樹脂パーツ１３０に対してブリッジ１５０を取付ける前、あるいは、完成状態にあったリムレス眼鏡１００においてブリッジ側樹脂パーツ１３０からブリッジ１５０を取外した後に、以下のように行なわれる。すなわち、保護部材２００の環状部２１０における貫通穴２１４にブリッジ側樹脂パーツ１３０が貫通されつつ、レンズ１１０の外周部の一部が環状部２１０の内周溝２１２内に収容される。そして、内周溝２１２の側壁２１０ｆおよび２１０ｒによる開口部を介して内周溝２１２にレンズ１１０の外周部が順次嵌め込まれ、その全外周が環状部２１０により覆われる。この後さらに、ヨロイ側の第一の部材１２０に連結された状態のヨロイ側の第二の部材１４０がスリット２２６を介してヨロイ収容空間に収容されると共に、ヒンジ１６０がスリット２２６を介してヒンジ収容空間に収容され、それぞれ、ヨロイ包囲部２２２およびヒンジ包囲部２２４により包囲される。
【００５０】
なお、この保護部材２００の装着に際しては、保護部材２００が延伸性を有する弾性体から形成されているので、レンズ１１０などの輪郭に合わせて、適宜変形させつつ容易に行なうことができる。
【００５１】
このようにして、保護部材２００が装着された状態にある眼鏡の片側のみを図１０に示す。図１０から明らかなように、左右のレンズ１１０が連結される前の眼鏡では、ブリッジ側の第一の部材であるブリッジ側樹脂パーツ１３０における長円形状の基部１３２の取付溝１３８より端部側のみが、保護部材２００の環状部２１０から突出している。
【００５２】
そして、この保護部材２００の装着後、ブリッジ側の第一の部材であるブリッジ側樹脂パーツ１３０に対してブリッジ側の第二の部材であるブリッジ１５０が取付けられて、保護部材２００で覆われた左右のレンズ１１０が連結される。
【００５３】
上述のようにして組み立てられた、保護部材２００が装着されていないリムレス眼鏡１００においては、テンプル１７０等を介して、眼鏡に過剰な外力が作用した場合には、第一の部材としてのヨロイ側樹脂パーツ１２０またはブリッジ側樹脂パーツ１３０と、第二の部材としてのヨロイ１４０またはブリッジ１５０とは、ヨロイ側樹脂パーツ１２０の取付溝１２８およびブリッジ側樹脂パーツ１３０の取付溝１３８にそれぞれ弾性的に係合している略U字状の湾曲部１４２および１５２のいずれか、または両者が弾性的に変形し外れることになる。その結果、そのヨロイ１４０、ブリッジ１５０およびテンプル１７０等の部品の変形やレンズ１１０の割れが防止される。
【００５４】
一方、保護部材２００が装着されたリムレス眼鏡１００においては、レンズ１１０や金属で形成されているヨロイ１４０やヒンジ１６０などの眼鏡部品が保護部材２００で完全に覆われているので、自らの転倒や、例えば、運動中におけるような相手との接触または衝突などが発生しても、かかる眼鏡部品が直接に自らの顔面や相手に当たることがなく、怪我を生じさせるのが防止される。
【００５５】
次に、図１１および図１２を参照して、本発明の他の実施の形態につき説明する。この他の実施の形態が上述の一実施の形態と異なる点は、非固定式の眼鏡の一例として、リムレス眼鏡に代えてリム付き眼鏡が用いられている点である。従って、リムレス眼鏡の場合にはレンズ自体に固設されるヨロイ側の第一の部材およびブリッジ側の第一の部材が、リム付き眼鏡の場合にはそれぞれリムに直接に固設される点を除き、他の構成は同じであるから、同一機能部位には同一符号を付し、重複説明を避けることとする。
【００５６】
なお、図１１および図１２に示したリム付き眼鏡１００‘は、一対の左右のレンズ１１０の略上半分の周囲が金属製のリム１１２で、略下半分の周囲がレンズ溝に係合するナイロンコード１１４で保持されている形式（セミリムレスマウント、深堀フレーム、またはナイロール式と称されることもある）であるが、このリムがレンズ１１０の全周に亘り保持するものであってもよい。
【００５７】
本発明の他の実施の形態においては、ヨロイ側の第一の部材およびブリッジ側の第一の部材が、それぞれ金属製のリム１１２に直接に固設されるという理由から、前実施の形態における第一の部材としての樹脂製のヨロイ側樹脂パーツ１２０およびブリッジ側樹脂パーツ１３０が、それぞれ、金属製に代えられて、ヨロイ側金属パーツ１２０‘およびブリッジ側金属パーツ１３０’とされている。
【００５８】
そして、ヨロイ側の金属パーツ１２０’は、図１１から明らかなように、その外観形状が前実施の形態の図２に示すヨロイ側樹脂パーツ１２０において、腕部１２４と脚部１２６とを除いたほぼ長円形状の基部１２２と同様であり、外周部に取付溝１２８‘が形成されている。取付溝１２８’が形成された長円形状のヨロイ側の金属パーツ１２０’は、二つの円弧部を含んでおり、該二つの円弧部がレンズ１１０の光軸にほぼ平行する前後方向に配置されて、金属製のリム１１２に溶接等により固設されている。
【００５９】
一方、ブリッジ側の金属パーツ１３０’は、図１１から明らかなように、その外観形状が前実施の形態の図３に示すブリッジ側樹脂パーツ１３０において、腕部１３４と脚部１３６とを除いたほぼ長円形状の基部１３２と同様であり、外周部に取付溝１３８‘が形成されている。取付溝１３８’が形成された長円形状のブリッジ側の金属パーツ１３０’は、二つの円弧部を含んでおり、該二つの円弧部がレンズ１１０の光軸にほぼ直交する上下方向に配置されて、金属製のリム１１２に溶接等により固設されている。
【００６０】
上記本発明の他の実施の形態にあっては、次の手順によりリム付き眼鏡１００’が組立られ完成されるか、または保護部材２００が装着されたリム付き眼鏡１００’が完成されることになる。なお、このリム付き眼鏡１００’では、いずれの場合にも、レンズ１１０の周囲を保持する金属製のリム１１２に対し、ヨロイ側金属パーツ１２０‘およびブリッジ側金属パーツ１３０’が、それぞれ、溶接等により固設されている。
【００６１】
そこで、ヨロイ側金属パーツ１２０‘に対し、前実施の形態と同様にして、ヨロイ１４０を取付ける。そして、ヒンジ１６０を形成すべく、ヨロイ１４０に一体に形成されている略鼓状のソケット部材１６２にテンプル１７０を連結する。なお、このヒンジ１６０の形成は、ヨロイ１４０をヨロイ側金属パーツ１２０‘に対して取付ける前に行なってもよい。
【００６２】
そして、保護部材２００が装着されない通常のリム付き眼鏡１００’を得る場合には、上述の状態におけるブリッジ側金属パーツ１３０‘に対し、前実施の形態と同様にして、ブリッジ１５０を取付けることにより、左右のレンズ１１０のリム１１２を連結する。かくて、リム付き眼鏡１００’は、ねじ等を一切用いることなく、各部品が連結されることにより完成される。
【００６３】
一方、保護部材２００が装着されたリム付き眼鏡１００’を得る場合には、上述のブリッジ側金属パーツ１３０‘に対してブリッジ１５０を取付ける前、あるいは、完成状態にあったリム付き眼鏡１００’においてブリッジ側金属パーツ１３０‘からブリッジ１５０を取外した後に、以下のように行なわれる。すなわち、保護部材２００の環状部２１０における貫通穴２１４にブリッジ側金属パーツ１３０’が貫通されつつ、リム１１２を含むレンズ１１０の外周部の一部が環状部２１０の内周溝２１２内に収容される。そして、内周溝２１２の側壁２１０ｆおよび２１０ｒによる開口部を介して内周溝２１２にリム１１２を含むレンズ１１０の外周部が順次嵌め込まれ、その全外周が環状部２１０により覆われる。この後さらに、ヨロイ側金属パーツ１２０‘に連結された状態のヨロイ１４０がスリット２２６を介してヨロイ収容空間に収容されると共に、ヒンジ１６０がスリット２２６を介してヒンジ収容空間に収容され、それぞれ、ヨロイ包囲部２２２およびヒンジ包囲部２２４により包囲される。
【００６４】
そして、この保護部材２００の装着後、保護部材２００の環状部２１０から突出しているブリッジ側の第一の部材であるブリッジ側金属パーツ１３０‘に対してブリッジ側の第二の部材であるブリッジ１５０が取付けられて、保護部材２００で覆われた左右のリム１１２を含むレンズ１１０が連結される。このようにして、保護部材２００が装着された状態にあるリム付き眼鏡１００’が図１２に示されている。
【００６５】
以上実施形態を挙げて説明したとおり、本発明にあっては、簡単な操作で眼鏡部品の取替えや、保護部材の着脱を工具を用いることなく迅速に行なうことができる。よって、各種サイズやデザインの眼鏡部品を多数揃えておき、これらの中からＴＰＯに応じて適当な部品を選択してお洒落な眼鏡を楽しむこともできる。また、小さくばらせば、眼鏡ケースが小型化できたり、小さな容器で眼鏡の浸け置き洗浄ができたりするなど、利用価値は頗る高い。
【００６６】
さらに、保護部材は、特別の色に着色されていてもよく、このようにすると、ファッション性が向上する。また、保護部材は、透明であってもよい。
【００６７】
以上、本発明の好ましい実施の形態につき説明したが、本発明は上記実施の形態に限定されるものではない。すなわち、一および他の実施の形態にそれぞれ示された特徴を相互に入れ換えて採用することも可能である。例えば、ヨロイ側樹脂パーツ１２０およびブリッジ側樹脂パーツ１３０、ヨロイ１４０およびブリッジ１５０の差し込み方向等は相互に入れ換えてもよい。
【図面の簡単な説明】
【００６８】
【図１】本発明の一実施の形態に係るリムレス眼鏡を示し、（Ａ）は正面図、（Ｂ）は平面図、（Ｃ）は側面図である。
【図２】本発明の一実施の形態に係るリムレス眼鏡のヨロイ側の第一の部材を示す、（Ａ）正面図（Ｂ）平面図、および（Ｃ）側面図である。
【図３】本発明の一実施の形態に係るリムレス眼鏡のブリッジ側の第一の部材を示す、（Ａ）正面図、（Ｂ）平面図、および（Ｃ）側面図である。
【図４】本発明の一実施の形態に係るリムレス眼鏡のヨロイ側の第二の部材（ヨロイ）を示す、（Ａ）正面図、（Ｂ）平面図、および（Ｃ）側面図である。
【図５】本発明の一実施の形態に係るリムレス眼鏡のブリッジ側の第二の部材（ブリッジ）を示す斜視図である。
【図６】本発明の一実施の形態に係るリムレス眼鏡のヒンジを示す、（Ａ）正面図、（Ｂ）平面図、（Ｃ）側面図、および（Ｄ）結合前の分解斜視図である。
【図７】本発明の一実施の形態に係る保護部材を示す正面図である。
【図８】本発明の一実施の形態に係る保護部材を示す側面図である。
【図９】本発明の一実施の形態に係る保護部材を示す断面図である。
【図１０】本発明の一実施の形態に係る保護部材の装着状態を示し、（Ａ）は正面図、（Ｂ）は平面図、（Ｃ）は左側面図、および（Ｄ）は右側面図である。
【図１１】本発明の他の実施の形態に係るリム付き眼鏡を示し、（Ａ）は正面図、（Ｂ）は平面図、（Ｃ）は側面図である。
【図１２】本発明の他の実施の形態に係る保護部材が装着状態にあるリム付き眼鏡を示し、（Ａ）は正面図、（Ｂ）は平面図、（Ｃ）は側面図である。
【符号の説明】
【００６９】
１１０    レンズ
１１２    リム
１２０，１２０‘    ヨロイ側の第一の部材
１３０，１３０‘    ブリッジ側の第一の部材
１４０    ヨロイ
１５０    ブリッジ
１６０    ヒンジ
１７０    テンプル
２００    保護部材
２１０    環状部
２１２    内周溝
２１４    貫通穴
２２０    包囲部
２２２    第一の包囲部
２２４    第二の包囲部
【図１】
2008076874.tif 000003
【図２】
2008076874.tif 000004
【図３】
2008076874.tif 000005
【図４】
2008076874.tif 000006
【図５】
2008076874.tif 000007
【図６】
2008076874.tif 000008
【図７】
2008076874.tif 000009
【図８】
2008076874.tif 000010
【図９】
2008076874.tif 000011
【図１０】
2008076874.tif 000012
【図１１】
2008076874.tif 000013
【図１２】
2008076874.tif 000014